(57)【要約】【課題】患者に対する放射線撮影時の正確な曝射量を検出し管理する。【解決手段】放射線撮影を行う際、最初に患者Ｓおよび撮影部位についての過去の合算曝射量がデータベースＤＢから抽出され、合算曝射量が設定しきい値以上であるか否かが判断される。合算曝射量が設定しきい値以上であると判断された場合、放射線撮影装置１０から放射線技師に対し警告の出力がなされる。一方、合算曝射量が設定しきい値未満であると判断された場合、放射線撮影装置１０による放射線撮影が開始される。このとき、本撮影時の曝射量のみならず、プレ曝射時の曝射量または本撮影に失敗した際の曝射量も合算する。そして、放射線撮影が終了したとき、曝射量計測手段１４により計測された撮影曝射量がネットワーク２を介して曝射量管理手段２０に伝送される。その後、曝射量管理手段２０のデータ集計手段２１により患者Ｓのデータシートに今回の放射線撮影のデータが更新される。【選択図】図１
2011050528.tif 000002
【特許請求の範囲】
【請求項１】
複数の放射線撮影装置がネットワークを介してデータ伝送可能に接続された、該各放射線撮影装置における放射線撮影時の曝射量を管理する放射線撮影管理システムであって、
前記各放射線撮影装置において患者に放射線を照射し放射線画像を検出する際に、放射線撮影の開始から終了までに前記患者に照射した撮影曝射量を検出する曝射量検出手段と、
該曝射量検出手段により検出された前記撮影曝射量をネットワークを介して取得し、前記各放射線撮影装置からそれぞれ取得した複数の前記撮影曝射量を患者毎に記憶し管理する放射線撮影の度に前記患者毎に記憶し管理する曝射量管理手段と
を備えたことを特徴とする放射線撮影管理システム。
【請求項２】
前記曝射量管理手段が、複数の前記撮影曝射量を合算した合算曝射量が所定の設定しきい値以上であるか否かを判定するデータ解析手段を有するものであり、
前記放射線撮影装置が、該データ解析手段において前記合算曝射量が前記設定しきい値以上であると判定されたときに警告を出力するための警告出力手段を備えたものであることを特徴とする請求項１記載の放射線撮影管理システム。
【請求項３】
前記曝射量管理手段が前記患者の放射線を照射した部位毎に前記合算曝射量を管理する機能を有するものであることを特徴とする請求項１または２記載の放射線撮影管理システム。
【請求項４】
前記曝射量検出手段が、前記放射線画像の取得するために行われたプレ曝射時もしくは失敗撮影時と本撮影時とにおいて照射した前記放射線量を合算し前記撮影曝射量を検出するものであることを特徴とする請求項１から３のいずれか１項記載の放射線撮影管理システム。
【請求項５】
複数の放射線撮影装置がネットワークを介してデータ伝送可能に接続されており、該各放射線撮影装置における放射線撮影時の曝射量を管理する放射線撮影管理方法であって、
前記各放射線撮影装置において患者に放射線を照射し放射線画像を検出する際に、該放射線撮影装置による放射線撮影の開始から終了までに前記患者に照射した撮影曝射量を検出し、
検出した前記撮影曝射量をネットワークを介して取得して放射線撮影の度に前記患者毎に記憶し管理する
ことを特徴とする放射線撮影管理方法。
【発明の詳細な説明】
【技術分野】
【０００１】
本発明は、放射線撮影時の患者に対する曝射量を管理する放射線撮影管理システムおよび方法に関するものである。
【背景技術】
【０００２】
従来から胸部レントゲン撮影やマンモグラフィ装置やＣＴ装置等を用いて放射線撮影を行うことにより人体の内部を放射線画像により診断することが行われている。この放射線撮影は人体に対し微量ながらも放射線を曝射するものであるため、人体の安全を考慮し放射線の曝射量を管理する必要がある。ここで、放射線撮影の管理方法として種々の方法が提案されている（たとえば特許文献１、２参照）。
【０００３】
特許文献１には、放射線撮影は様々な医療機関において行われることを考慮し、地域医療ネットワークを介して各病院等で行われた放射線撮影の際の曝射量を集計しトータルで管理することが考えられている。また、特許文献２には、放射線撮影を失敗した写損時のログを放射線画像に関連づけて記憶し、写損ログをいつでも参照できるようにすることが開示されている。
【先行技術文献】
【特許文献】
【０００４】
【特許文献１】特開２００８−２８４２９４号公報
【特許文献２】特開２００６−２１８１３９号公報
【発明の開示】
【発明が解決しようとする課題】
【０００５】
しかし、特許文献１においては、画像診断に用いられた放射線画像に付帯した情報として記憶されている放射線量に基づいて曝射量の管理が行われているため、正確な曝射量の管理を行うことができないという問題がある。すなわち、放射線撮影を行う際、放射線を照射するのは本撮影時のみならず、事前に患部の位置等を確認するプレ撮影や所望の放射線画像が得られなった失敗撮影（写損）時等においても放射線が照射される。したがって、特許文献１のように、診断に用いられた放射線画像取得時の放射線量だけ管理した場合には記録に残らないプレ撮影時等の放射線量を管理することができず、患者の曝射量が正確に管理することができないという問題がある。
【０００６】
そこで、本発明は、患者に曝射された放射線量を正確に検出し管理することができる放射線撮影管理システムおよび方法を提供することを目的とするものである。
【課題を解決するための手段】
【０００７】
本発明の放射線撮影管理システムは、複数の放射線撮影装置がネットワークを介してデータ伝送可能に接続された、各放射線撮影装置による放射線撮影時の曝射量を管理する放射線撮影管理システムであって、各放射線撮影装置により患者に放射線を照射し放射線画像を検出する際に、放射線撮影の開始から終了までに患者に照射した撮影曝射量を検出する曝射量検出手段と、曝射量検出手段により検出された撮影曝射量をネットワークを介して取得し、各放射線撮影装置からそれぞれ取得した複数の撮影曝射量を患者毎に記憶し管理する曝射量管理手段とを備えたことを特徴とするものである。
【０００８】
本発明の放射線撮影管理方法は、複数の放射線撮影装置がネットワークを介してデータ伝送可能に接続されており、各放射線撮影装置による放射線撮影時の曝射量を管理する放射線撮影管理方法であって、各放射線撮影装置により患者に放射線を照射し放射線画像を検出する際に、放射線撮影の開始から終了までに患者に照射した撮影曝射量を検出し、検出した撮影曝射量をネットワークを介して取得し、各放射線撮影装置からそれぞれ取得した複数の前記撮影曝射量を患者毎に記憶し管理することを特徴とするものである。
【０００９】
ここで、放射線撮影装置は、被写体を透過した放射線を検出することにより放射線画像を検出するものであればなんでもよく、たとえば胸部レントゲン撮影装置であってもよいし、マンモグラフィ装置、歯科用もしくは内臓を観察するためのＣＴ装置等であってもよい。
【００１０】
また、撮影曝射量とは、放射線撮影の開始から終了までに照射した合算曝射量を意味するものであって、放射線画像検出時の曝射量に限らず、本撮影の前に行われるプレ曝射時の曝射量や失敗撮影時の曝射量も含めた合算曝射量を意味する。
【００１１】
なお、曝射量管理手段は、複数の撮影曝射量を合算した合算曝射量が所定の設定しきい値以上であるか否かを判定するデータ解析手段を有するものであってもよい。このとき、放射線撮影装置は、データ解析手段において合算曝射量が設定しきい値以上であると判定されたときに警告を出力するための警告出力手段を備えたものであってもよい。
【００１２】
さらに、曝射量管理手段は、各患者毎に複数の放射線撮影時の曝射量を合算して合算曝射量を算出する機能の他に、放射線を照射した部位毎に合算曝射量を管理する機能を有するものであってもよい。
【発明の効果】
【００１３】
本発明の放射線撮影管理システムおよび方法によれば、複数の放射線撮影装置がネットワークを介してデータ伝送可能に接続されており、各放射線撮影装置における放射線撮影時の曝射量を管理するものであって、各放射線撮影装置により患者に放射線を照射し放射線画像を検出する際に、放射線撮影の開始から終了までに患者に照射した撮影曝射量を検出し、検出した撮影曝射量をネットワークを介して取得して放射線撮影の度に患者毎に記憶し管理することにより、放射線画像に関連づけされて記憶された曝射量のみならず、プレ曝射や失敗撮影時等の画像診断に用いられる放射線画像が得られないような曝射時についても、患者への曝射量として検出し管理するため、正確な曝射量に基づいて患者に対する曝射管理を行うことができる。
【００１４】
なお、曝射量管理手段が、複数の撮影曝射量を合算した合算曝射量が所定の設定しきい値以上であるか否かを判定するデータ解析手段を有するものであり、放射線撮影装置がデータ解析手段において合算曝射量が設定しきい値以上であると判定されたとき、放射線撮影装置から警告を出力するための警告出力手段を備えたものであるとき、患者に対する曝射量が多くなってきたときには警告を出力し、被爆量に対する注意喚起を行うことができる。
【００１５】
また、曝射量管理手段が患者の放射線を照射した部位毎に合算曝射量を管理する機能を有するものであれば、人体の部位毎の曝射管理を行うことができる。
【００１６】
さらに、曝射量検出手段が、放射線画像の取得するために行われたプレ曝射時もしくは失敗撮影時と本撮影時とにおいて照射した放射線量を合算し撮影曝射量を検出するものであるとき、放射線画像に関連づけされて記憶された曝射量のみならず、プレ曝射や失敗撮影時等の画像診断に用いられる放射線画像が得られないような曝射時についても、患者への曝射量として検出し管理することができる。
【図面の簡単な説明】
【００１７】
【図１】本発明の放射線撮影管理システムの好ましい実施形態を示す概略図
【図２】図１の放射線撮影管理システムに接続された放射線撮影装置の一例を示す模式図
【図３Ａ】図２の曝射量検出手段において検出される曝射タイミングの一例を示す模式図
【図３Ｂ】図２の曝射量検出手段において検出される曝射タイミングの別の一例を示す模式図
【図４】図１のデータベースのデータ構造の一例を示す模式図
【図５】本発明の放射線撮影管理方法の好ましい実施形態を示すフローチャート
【発明を実施するための形態】
【００１８】
以下、図面を参照して本発明の実施形態を詳細に説明する。図１は本発明の放射線撮影管理システムの好ましい実施形態を示す概略図である。放射線撮影管理システム１は、各病院等に設置された放射線撮影装置１０による曝射量を患者毎に一元管理するものであって、複数の放射線撮影装置１０と曝射量管理手段２０とがネットワーク２を介してデータ伝送可能に接続された構造を有している。
【００１９】
図２は放射線撮影装置１０の一例を示す模式図である。図２の放射線撮影装置１０は臥位型の放射線撮影装置であって、放射線源１１、放射線検出器１２を備えている。そして、放射線源１１から放射線が患者Ｓに照射され、患者Ｓを透過した放射線が放射線検出器１２により放射線画像として検出される。この放射線源１１および放射線検出器１２は撮影制御手段１３により制御されている。
【００２０】
さらに、撮影制御手段１３は、曝射量検出手段１４、警告出力手段１５を備えている。曝射量検出手段１４は、放射線撮影装置１０から患者Ｓに放射線を照射し放射線画像を取得する際に、放射線撮影の準備開始から放射線撮影の終了までに患者に照射された曝射量を検出するものである。ここで、曝射量検出手段１４は、撮影制御手段１３の制御状態（放射線源の種類、管電圧、管電流等）に基づいて曝射量を算出してもよいし、放射線画像の素抜け部分の濃度から曝射量を算出するものであってもよい。あるいは、曝射量検出手段１４は、信号処理により曝射量を算出する場合のみならず、放射線源１１の放射線射出部分もしくは放射線検出器１２の外縁に設けられた放射線カウンタからなるものであって、放射線を直接計測するものであってもよい。
【００２１】
ここで、たとえば図３Ａに示すように、放射線撮影時にプレ曝射によるプレ画像を取得し撮影具合を確認した後に本撮影により放射線画像を取得する場合がある。このとき、曝射量検出手段１４は、本撮影時の曝射量とプレ曝射時の曝射量とを加算し撮影曝射量を検出する。
【００２２】
あるいは、たとえば図３Ｂに示すように、１度本撮影を行ったが所望の放射線画像が検出できなかったために（写損）、さらに再撮影を行い放射線画像を検出する場合がある。このとき、曝射量検出手段１４は、再撮影時の曝射量と写損時の曝射量とを加算し撮影曝射量を検出する。なお、プレ撮影後に本撮影を行ったが写損が生じ再撮影を行った場合には、曝射量検出手段１４はプレ撮影時の曝射量と写損時の曝射量と再撮影時の曝射量とを加算して撮影曝射量を検出する。言い換えれば、曝射量検出手段１４は放射線撮影装置１０が患者を放射線撮影可能な状態になってから患者が装置から離れるまでの曝射量を検出する。
【００２３】
図２の警告出力手段１５は放射線技師に対し患者の被爆量について注意喚起をするための警告を出力するものであって、たとえば表示部や音声として警告を出力するものである。
【００２４】
図１の曝射量管理手段２０は、曝射量検出手段１４により検出された放射線量を患者毎に合算して記憶・管理するものであって、データ集計手段２１、データ解析手段２２、データベースＤＢを備えている。データ集計手段２１は、複数の放射線撮影装置１０からネットワーク２を介して伝送される撮影曝射量を患者Ｓ毎に集計しデータベースＤＢに登録する機能を有している。図４はデータベースＤＢのデータ構造の一例を示す模式図である。データベースＤＢには患者毎にデータテーブルが記憶されており、各データテーブルには、データ集計手段２１により登録された撮影に掛かった時間、放射線が曝射された部位、撮影曝射量、放射線画像データ、放射線技師情報等が記憶されている。
【００２５】
図１のデータ解析手段２２は、データベースＤＢに登録された各種データを解析するものである。具体的には、データ解析手段２２は、患者毎に曝射量の総量を合算曝射量として算出し、合算曝射量が所定の設定しきい値以上であるか否かを判断する機能を有している。そして、合算曝射量が所定の設定しきい値以上である場合には、その旨をネットワーク２を介して放射線撮影装置１０に伝送する。すると、放射線撮影装置１０の警告出力手段１５から放射線技師へ対し警告が出力される。
【００２６】
また、データ解析手段２２は、放射線撮影を行った放射線技師毎にデータベースＤＢ内のデータを解析する機能を有している。たとえば放射線技師毎に写損の発生頻度を抽出し、発生頻度が規定値を超えた場合には警告出力手段１５を介して技師長等に報知する機能を有している。これにより、患者の被爆線量が過度に増加しないように監視することができる。なお、データ集計手段２１は、写損が生じたときに入力手段１６を介して入力された写損理由をデータベースＤＢに登録する機能を有しており、データ解析手段２２は、写損理由のうち患者の体動等の技師の技量とは無関係な要素を排除した評価を行うようにしてもよい。さらに、データ解析手段２２は上記写損の他に撮影に掛かった時間をも考慮して放射線技師の評価値を算出するようにしてもよい。
【００２７】
このように、放射線撮影の開始から終了までに照射したすべての曝射量を撮影曝射量として検出し管理することにより、患者に対する正確な曝射量に基づく管理を行うことができる。すなわち、従来のように、放射線画像の関連づけされている放射線量に基づいて管理を行う場合、プレ曝射時の放射線量や失敗撮影時の放射線量等についてはわからないため、患者Ｓに対する正確な曝射量の管理を行うことができない。一方、曝射量検出手段１４により放射線撮影の開始から終了までに曝射下放射線量のすべてを検出し管理することにより、患者に照射した放射線量を正確に管理することができる。
【００２８】
図５は本発明の放射線量管理方法の好ましい実施形態を示すフローチャートであり図１から図５を参照して放射線量管理方法について説明する。まず、放射線撮影を行う患者Ｓの情報が放射線撮影装置１０に入力されると、患者Ｓの情報および撮影部位情報がネットワーク２を介して曝射量管理手段２０に伝送される。曝射量管理手段２０のデータ解析手段２２により患者Ｓおよび撮影部位についての過去の合算曝射量がデータベースＤＢから抽出される（ステップＳＴ１）。
【００２９】
その後、合算曝射量が設定しきい値以上であるか否かが判断される（ステップＳＴ２）。合算曝射量が設定しきい値以上であると判断された場合、データ解析手段２２から放射線撮影装置１０に対し警告情報が伝送され、放射線撮影装置１０の警告出力手段１５から放射線技師に対し警告の出力がなされる（ステップＳＴ３）。
【００３０】
一方、合算曝射量が設定しきい値未満であると判断された場合、放射線撮影装置１０による放射線撮影が開始される（ステップＳＴ４）。このとき、曝射量検出手段１４において、本撮影時の曝射量のみならず、プレ曝射時の曝射量または本撮影に失敗した際の曝射量も合算する。そして、放射線撮影が終了したとき、曝射量検出手段１４により検出された撮影曝射量がネットワーク２を介して曝射量管理手段２０に伝送される（ステップＳＴ５）。その後、曝射量管理手段２０のデータ集計手段２１により患者Ｓのデータシートに今回の放射線撮影のデータが更新される。
【００３１】
上記実施の形態によれば、複数の放射線撮影装置１０がネットワークを介してデータ伝送可能に接続されており、各放射線撮影装置１０における放射線撮影時の曝射量を管理するものであって、各放射線撮影装置１０において患者に放射線を照射し放射線画像を検出する際に、放射線撮影の開始から終了までに患者に照射した撮影曝射量を検出し、検出した撮影曝射量をネットワークを介して取得し、各放射線撮影装置からそれぞれ取得した複数の撮影曝射量を患者毎に記憶し管理することにより、放射線画像に関連づけされて記憶された曝射量のみならず、プレ曝射や失敗撮影時等の画像診断に用いられる放射線画像が得られないような曝射時についても、患者への曝射量として検出し管理するため、正確な曝射量に基づいて患者に対する曝射管理を行うことができる。
【００３２】
なお、曝射量管理手段２０が、複数の撮影曝射量を合算した合算曝射量が所定の設定しきい値以上であるか否かを判定するデータ解析手段２２を有するものであり、放射線撮影装置１０が、データ解析手段２２において合算曝射量が設定しきい値以上であると判定されたときに警告を出力するための警告出力手段１５を備えたものであるとき、患者に対する曝射量が多くなってきたときには警告を出力し、被爆量に対する注意喚起を行うことができる。
【００３３】
また、曝射量管理手段２０が患者の放射線を照射した部位毎に合算曝射量を管理する機能を有するものであれば、人体の部位毎の曝射管理を行うことができる。
【００３４】
さらに、曝射量検出手段１４が、放射線画像の取得するために行われたプレ曝射時もしくは失敗撮影時と本撮影時とにおいて照射した放射線量を合算し撮影曝射量を検出するものであるとき、放射線画像に関連づけされて記憶された曝射量のみならず、プレ曝射や失敗撮影時等の画像診断に用いられる放射線画像が得られないような曝射時についても、患者への曝射量として検出し管理することができる。
【００３５】
本発明の実施形態は、上記実施形態に限定されない。たとえば、図２において、臥位型の放射線撮影装置の場合について例示しているが、胸部レントゲン装置、マンモグラフィ装置、ＣＴ装置、歯科用のレントゲン装置等の放射線撮影装置についても適用することができる。
【符号の説明】
【００３６】
１    放射線撮影管理システム
１０  放射線撮影装置
１１  放射線源
１２  放射線検出器
１３  撮影制御手段
１４  曝射量検出手段
１５  警告出力手段
１６  入力手段
２０  曝射量管理手段
２１  データ集計手段
２２  データ解析手段
ＤＢ  データベース
Ｓ    患者
【図１】
2011050528.tif 000003
【図２】
2011050528.tif 000004
【図３Ａ】
2011050528.tif 000005
【図３Ｂ】
2011050528.tif 000006
【図４】
2011050528.tif 000007
【図５】
2011050528.tif 000008